(57)【要約】【課題】効率的で、使い勝手のよい収納を可能にする洗面化粧台を提供する。【解決手段】上部キャビネット３に形成した小物把持部４と、上部キャビネット３に隣接配置した収納棚５と、キャビネット本体２前面上部に配設した幕前板６と、スライド式箱型収納部７とを有する洗面化粧台１において、スライド式箱型収納部７の前板８を左右相互に隣接する可動扉９と固定扉１０で形成し、可動扉９をスライド式箱型収納部７の側板部１１に設けた開閉丁番１２により開閉自在とする一方、可動扉９に係合部１４を設け、固定扉１０の引出し用把手１５に延設した係合部材１６と、引出し用把手１５の操作により係合せしめ、可動扉９の開閉ロック構造を形成し得るので、キャビネット本体２での収納、取出しに際して、可動扉９の開閉による方法とスライド式箱型収納部７を引き出す方式を自在に選択できることとなる。【選択図】        図１
2004229689.tif 000002
【特許請求の範囲】
【請求項１】
箱型のキャビネット本体と、前記キャビネット本体上部に延設した上部キャビネットと、前記上部キャビネットに形成した小物把持部と、前記上部キャビネットに隣接配置した収納棚と、前記キャビネット本体の前面上部に配設した幕前板と、前記キャビネット本体の前面方向に引出し可能に形成したスライド式箱型収納部とを有する洗面化粧台において、前記スライド式箱型収納部の前板を左右相互に隣接する可動扉と固定扉で形成し、前記可動扉を前記スライド式箱型収納部の側板部に設けた開閉丁番により開閉自在とする一方、前記可動扉の前記固定扉と相対する端縁に係合部を設け、前記固定扉に設けた引出し用把手に延設した係合部材と、前記引出し用把手の操作により係合して、前記可動扉の開閉ロック構造を形成し得ることを特徴とする洗面化粧台。
【請求項２】
前記収納棚が、垂直方向に複数個累積配置可能な収納部ユニットを用いて構成され、前記収納部ユニットが、円筒形状を有し、前記円筒形状の中心軸を回動軸として回動可能に構成されていることを特徴とする請求項１記載の洗面化粧台。
【請求項３】
前記小物把持部が、係止部を有する小物把持用金具を、小物把持用金具固定レール内面に固定する構造であって、前記上部キャビネット表面の所定部位に縦溝部を設け、該縦溝部に沿って、略Ｃ字型の断面形状を有し、且つ、内面に蛇腹状凹凸部を備えた前記小物把持用金具固定レールを前記上部キャビネット表面内に埋没するように固定し、前記小物把持用金具固定レール内面上を移動自在であり、且つ、前記小物把持用金具固定レール内面に挿入支持された前記小物係止用金具の前記係止部を前記蛇腹状凹凸部に係止せしめ得ることを特徴とする請求項１または請求項２記載の洗面化粧台。
【請求項４】
前記幕前板に凹部を形成し、前記凹部にカセット式の収納ユニットを着脱自在に装着可能としたことを特徴とする請求項１乃至請求項３のいずれかに記載の洗面化粧台。
【発明の詳細な説明】
【０００１】
【発明の属する技術分野】
本発明は、効率的で、使い勝手のよい収納ができる洗面化粧台に関するものである。
【０００２】
【従来の技術】
洗面化粧台等に代表される収納部を有するキャビネット類の効率的で、使い勝手のよい収納方法については、従来より、精力的に開発が行なわれているが、例えば、洗面化粧台等のキャビネット本体の扉の開閉方式に着目した場合、従来は、ほとんどの場合、開閉扉によるものと、引出扉によるもののいずれか一方のみを採用したものに限定されており、両者を効率的に併用するものは、ほとんど知られていなかった。例えば、本願出願人においても、実開昭６３−１２７４４１号公報では、コーナー用収納体の組立構造について開示している。しかし、これは、扉付収納体と引出付収納体の配置に関するもので、一つの収納体に、開閉扉と、引出扉を併用するものではなかった。
【０００３】
しかし、現実には、開閉扉によるものと、引出扉によるものは、それぞれ一長一短があり、例えば、開閉扉方式のキャビネットは、奥行きの深いキャビネットであれば、キャビネットの奥側に収納したものを取り出し難い。但し、キャビネットの手前側に収納したものは取り出し易い。一方、引出扉方式のキャビネットは、奥行きの深いキャビネットであれば、キャビネットの奥側に収納したものを取り出し易い。但し、キャビネットの手前側に収納したものは、扉を引き出して取り出す必要があるので取り出し難い。
【０００４】
この問題のみに限らず、キャビネット類の効率的で、使い勝手のよい収納方法については、多くの課題が、未解決のまま残されている。
【０００５】
【特許文献１】
実開昭６３−１２７４４１号公報  （第１頁  ［実用新案登録請求の範囲］、第１図〜第４図  ）
【０００６】
【発明が解決しようとする課題】
本発明は、かかる事由に鑑み、なされたもので、本発明の目的は、効率的で、使い勝手のよい収納を可能にする洗面化粧台を提供することにある。
【０００７】
【課題を解決するための手段】
上記課題を解決するために、請求項１に係る洗面化粧台の発明にあっては、箱型のキャビネット本体と、前記キャビネット本体上部に延設した上部キャビネットと、前記上部キャビネットに形成した小物把持部と、前記上部キャビネットに隣接配置した収納棚と、前記キャビネット本体の前面上部に配設した幕前板と、前記キャビネット本体の前面方向に引出し可能に形成したスライド式箱型収納部とを有する洗面化粧台において、前記スライド式箱型収納部の前板を左右相互に隣接する可動扉と固定扉で形成し、前記可動扉を前記スライド式箱型収納部の側板部に設けた開閉丁番により開閉自在とする一方、前記可動扉の前記固定扉と相対する端縁に係合部を設け、前記固定扉に設けた引出し用把手に延設した係合部材と、前記引出し用把手の操作により係合して、前記可動扉の開閉ロック構造を形成し得ることを特徴とするものである。
【０００８】
請求項２に係る洗面化粧台の発明にあっては、請求項１記載の洗面化粧台において、前記収納棚が、垂直方向に複数個累積配置可能な収納部ユニットを用いて構成され、前記収納部ユニットが、円筒形状を有し、前記円筒形状の中心軸を回動軸として回動可能に構成されていることを特徴とするものである。
【０００９】
請求項３に係る洗面化粧台の発明にあっては、請求項１または請求項２記載の洗面化粧台において前記小物把持部が、係止部を有する小物把持用金具を、小物把持用金具固定レール内面に固定する構造であって、前記上部キャビネット表面の所定部位に縦溝部を設け、該縦溝部に沿って、略Ｃ字型の断面形状を有し、且つ、内面に蛇腹状凹凸部を備えた前記小物把持用金具固定レールを前記上部キャビネット表面内に埋没するように固定し、前記小物把持用金具固定レール内面上を移動自在であり、且つ、前記小物把持用金具固定レール内面に挿入支持された前記小物係止用金具の前記係止部を前記蛇腹状凹凸部に係止せしめ得ることを特徴とするものである。
【００１０】
請求項４に係る洗面化粧台の発明にあっては、請求項１乃至請求項３のいずれかに記載の洗面化粧台において、前記幕前板に凹部を形成し、前記凹部にカセット式の収納ユニットを着脱自在に装着可能としたことを特徴とするものである。
【００１１】
【発明の実施の形態】
以下、本発明の実施形態を図面に基づき説明する。図１に示すように、本実施形態の洗面化粧台１は、箱型のキャビネット本体２と、その上部に延設した上部キャビネット３と、この上部キャビネット３に形成した小物把持部４と、上部キャビネット３に隣接配置した収納棚５と、キャビネット本体２の前面上部に配設した幕前板６と、キャビネット本体２の前面方向に引出し可能に形成したスライド式箱型収納部７とを有するものである。
【００１２】
さらに、図２、図３に示すように、洗面化粧台１は、キャビネット本体２において、スライド式箱型収納部７の前板８を左右相互に隣接する可動扉９と固定扉１０で形成し、可動扉９をスライド式箱型収納部７の側板部１１に設けた開閉丁番１２により開閉自在とする一方、可動扉９の固定扉１０と相対する端縁１３に係合部１４を設け、固定扉１０に設けた引出し用把手１５に延設した係合部材１６と、引出し用把手１５の操作により係合して、可動扉９の開閉ロック構造を形成し得るというものである。
【００１３】
この可動扉９の開閉ロック構造を、図３に例示する。この場合、図３（ａ）に示すように、引出し用把手１５は、引出し用把手支持軸１７、１８をそれぞれ穴部１９、２０に遊挿することにより固定扉１０と連結され、引出し用把手として機能し得るとともに、固定扉１０上端の溝部２１にその上方向から遊挿された係合部材１６と、その切り欠き部２２と引出し用把手支持軸１７との嵌合により連結される。この際、穴部１９、２０の横幅を引出し用把手支持軸１７、１８の外径よりも係合部材１６の凸部１６ａの長さｄ（ｍｍ）だけ大きくし、溝部２１の形状も係合部材１６が、左右にｄ（ｍｍ）だけ移動しうるように設計し、さらに、可動扉９の端縁１３の係合部１４である縦溝の深さをｄ（ｍｍ）としておけば（図３（ｂ）参照）、この開閉ロック構造が完成することとなる。
【００１４】
すなわち、可動扉９を閉じた状態で引出し用把手１５を左側に移動すれば、係合部１４と係合部材１６が係合し、可動扉９と固定扉１０が、連結、一体化するため、そのまま、引出し用把手１５を手前に引くと図２（ａ）に示すようにスライド式箱型収納部７が、手前に引き出されることとなる。一方、可動扉９を閉じた状態で引出し用把手１５を右側に移動すれば、係合部１４と係合部材１６の係合が解かれ、可動扉９を開くことができることとなる。
【００１５】
この結果、洗面化粧台１においては、キャビネット本体２での収納、取出しに際して、可動扉９の開閉による方法とスライド式箱型収納部７を引出し用把手１５で引き出す方式を自在に選択でき、キャビネット本体２内部の収納した箇所に応じて所望の方式を選択し得ることとなる。
【００１６】
一方、本実施形態の洗面化粧台１は、収納棚５をも備えるものである。具体的には、図４、図５に示すように、収納棚５は、垂直方向に複数個累積配置可能な円筒形状の収納部ユニット２３を用いて構成することができる。この際、連結板２４を介在させることにより、収納部ユニット２３を所望の個数累積配置でき、最高段の収納部ユニット２３には、上から、上側面２５ａに凹凸部のない天板２５を被せて、美観を確保することができる。一方、収納部ユニット２３、連結板２４、天板２５の構造は、図６、図７、図８に示すとおりである。
【００１７】
すなわち、図６に示すように、収納部ユニット２３は、嗜好に応じて、収納部に仕切板２６を設けることができ、また、外周が円形の上側面２３ａの中心に外周が円形の凸部２７を有する一方、外周が円形の下側面２３ｂの中心には、外周が円形の凸部２８の他に、バネ等の弾性体２９で下側面２３ｂ方向に圧着され、下側面２３ｂから部分的に露出した回転制限ボール３０（図６（ｂ）、及び破線で囲った領域Ａの拡大図、図６（ｄ）参照）を設けることができる。
【００１８】
一方、図７に示すように、連結板２４は、その上側面２４ａに上記回転制限ボール３０の収納部ユニット２３の下側面２３ｂからの露出部を収納し得る凹部３１を有すると共に、上記凸部２７、２８と嵌合可能な貫通孔３２を形成している。この場合、凹部３１を貫通孔とする、或いは貫通孔３２をその中央部に隔壁を有する非貫通孔とする等の実施形態も可能であることは勿論である。これに対して、天板２５は、図８に示すように、下側面２５ｂに上記凸部２７と嵌合可能な凹部３３を有するのみである。
【００１９】
かかる構成を有する収納棚５は、上記回転制限ボール３０の圧着力を調整することにより、自由な回転は、上記回転制限ボール３０が、凹部３１に収納されることで防止し得る一方、回転制限ボール３０の圧着力を適宜、調整することにより、前記円筒形状の中心軸である、貫通孔３２と嵌合した外周が円形の凸部２７、２８の中心を回動軸として、手動で回動することができるものである。
【００２０】
従来、ミラーキャビネットや収納部を有するキャビネット類等の収納箇所の収納面積を大きくするために、奥行き寸法を大きくすると、収納箇所に収納できる品物の数量は増やせるが、奥の方に収納した品物を判別し難く、その出入れも容易でないという問題があった。これに対し、この収納棚５を構成する収納部ユニット２３は、円筒形状を有し、前記円筒形状の中心軸を回動軸として回動可能に構成されており、さらに、例えば、仕切板２６を設けること等が可能であるため、収納物を目的別に効率的且つコンパクトに収納できることとなる。また、収納した品物が取出し易く、また、従来の箱型のものと比較しても、心理的な圧迫感が少ない等の利点が大きい。この結果、この収納棚５を使用すれば、収納物を目的別に効率的且つコンパクトに収納することが可能となる。
【００２１】
また、本実施形態の洗面化粧台１は、小物把持部４をも備えるものである。具体的には、図９、図１０に示すように、小物把持部４は、係止部３４を有する小物把持用金具３５を、小物把持用金具固定レール３６の内面に固定する構造であって、上部キャビネット３表面の所定部位に縦溝部３７を設け、縦溝部３７に沿って、略Ｃ字型の断面形状を有し、且つ、内面に蛇腹状凹凸部３８を備えた小物把持用金具固定レール３６を上部キャビネット表面内に埋没するように固定し、小物把持用金具固定レール３６の内面上を移動自在であり、且つ、小物把持用金具固定レール３６の内面に挿入支持された小物係止用金具３５の係止部３４を蛇腹状凹凸部３８に係止せしめ得るというものである。
【００２２】
この場合、図９に示すように、小物把持用金具３５の突起部３９を小物把持用金具固定レール３６の内面の凹部４２に嵌合せしめ、また、突起部４０、４１で小物把持用金具固定レール３６の内面において、保持することにより、左右方向のガタツキを防止する。その結果、小物把持用金具３５は略上下方向にのみその動きを拘束されず、図１０（ａ）に示すように、小物把持用金具固定レール３６の内面上を上下方向に移動自在となるが、図１０（ｂ）に示すように、小物把持用金具３５の小物把持用フック４３に手元ミラーやヘアドライヤー等の小物を乗せて矢印方向の力が加わると、係止部３４を蛇腹状凹凸部３８に係止せしめ得ることとなる。この結果、小物把持用金具３５を、使用者の嗜好に応じて好みの高さに固定でき、使い勝手よく、小物の収納を実現し得ることとなる。
【００２３】
さらに、本実施形態の洗面化粧台１は、図１に示すように、キャビネット本体２の前面上部に幕前板６を有するものであるが、この幕前板６に凹部４４を形成し、この凹部４４にカセット式の収納ユニット４５を着脱自在に装着可能としたものである（図１１参照）。すなわち、元来、幕前板６は、裏側にボール４６が存在するため、引出収納部等を設けられず、ボール４６の目隠し的な目的で、取りつけられているものであるが、本発明は、このボール４６と幕前板６との間の空間をも有効活用しようとするものである。具体的には、図１１に示すように、カセット式の収納ユニット４５としては、タオルバーを内蔵するユニット４５ａ、透明プラスチックカバー付収納ケースを内蔵するユニット４５ｂ等が例示可能である。
【００２４】
この結果、ボール４６と幕前板６との間の空間をも有効活用できるとともに、使用者の嗜好に応じて、収納ユニット４５を交換でき、使い勝手のよい収納を簡便に実現し得ることとなる。
【００２５】
【発明の効果】
以上のように、請求項１に係る洗面化粧台の発明にあっては、箱型のキャビネット本体と、前記キャビネット本体上部に延設した上部キャビネットと、前記上部キャビネットに形成した小物把持部と、前記上部キャビネットに隣接配置した収納棚と、前記キャビネット本体の前面上部に配設した幕前板と、前記キャビネット本体の前面方向に引出し可能に形成したスライド式箱型収納部とを有する洗面化粧台において、前記スライド式箱型収納部の前板を左右相互に隣接する可動扉と固定扉で形成し、前記可動扉を前記スライド式箱型収納部の側板部に設けた開閉丁番により開閉自在とする一方、前記可動扉の前記固定扉と相対する端縁に係合部を設け、前記固定扉に設けた引出し用把手に延設した係合部材と、前記引出し用把手の操作により係合して、前記可動扉の開閉ロック構造を形成し得ることを特徴とするので、キャビネット本体での収納、取出しに際して、可動扉の開閉による方法とスライド式箱型収納部を引き出す方式を自在に選択でき、キャビネット本体内部の収納した箇所に応じて所望の方式を選択し得るという優れた効果を奏する。
【００２６】
請求項２に係る洗面化粧台の発明にあっては、請求項１記載の洗面化粧台において、前記収納棚が、垂直方向に複数個累積配置可能な収納部ユニットを用いて構成され、前記収納部ユニットが、円筒形状を有し、前記円筒形状の中心軸を回動軸として回動可能に構成されていることを特徴とするので、収納物を目的別に効率的且つコンパクトに収納し得るという優れた効果を奏する。
【００２７】
請求項３に係る洗面化粧台の発明にあっては、請求項１または請求項２記載の洗面化粧台において前記小物把持部が、係止部を有する小物把持用金具を、小物把持用金具固定レール内面に固定する構造であって、前記上部キャビネット表面の所定部位に縦溝部を設け、該縦溝部に沿って、略Ｃ字型の断面形状を有し、且つ、内面に蛇腹状凹凸部を備えた前記小物把持用金具固定レールを前記上部キャビネット表面内に埋没するように固定し、前記小物把持用金具固定レール内面上を移動自在であり、且つ、前記小物把持用金具固定レール内面に挿入支持された前記小物係止用金具の前記係止部を前記蛇腹状凹凸部に係止せしめ得ることを特徴とするので、小物把持用金具を、使用者の嗜好に応じて好みの高さに固定でき、使い勝手のよい収納が可能となるという優れた効果を奏する。
【００２８】
請求項４に係る洗面化粧台の発明にあっては、請求項１乃至請求項３のいずれかに記載の洗面化粧台において、前記幕前板に凹部を形成し、前記凹部にカセット式の収納ユニットを着脱自在に装着可能としたことを特徴とするので、使用者の嗜好に応じて、収納ユニットを交換でき、使い勝手のよい収納が可能となるという優れた効果を奏する。
【図面の簡単な説明】
【図１】本実施形態における洗面化粧台１の構成の概略を示す斜視図である。
【図２】本実施形態におけるキャビネット本体２のスライド式箱型収納部７の概略を示すもので、（ａ）は、スライド式箱型収納部７を引き出した様子を示す図、（ｂ）は、可動扉９を開いた様子を示す図である。
【図３】本実施形態における可動扉９の開閉ロック構造の概略を示すもので、（ａ）は、固定扉１０側の構造の概略を示す図、（ｂ）は、可動扉９側の構造の概略を示す図である。
【図４】本実施形態における収納棚５の構成の概略を示す斜視図である。
【図５】本実施形態における収納棚５の構成の概略を示す分解斜視図である。
【図６】本実施形態における収納棚５の収納部ユニット２３の構造の概略を示すもので、（ａ）は、上面図、（ｂ）は、断面図、（ｃ）は、下面図、（ｄ）は、断面図（ｂ）の破線で囲った領域Ａの拡大図である。
【図７】本実施形態における収納棚５の連結板２４の構造の概略を示すもので、（ａ）は、上面図、（ｂ）は、断面図、（ｃ）は、下面図である。
【図８】本実施形態における収納棚５の天板２５の構造の概略を示すもので、（ａ）は、上面図、（ｂ）は、断面図、（ｃ）は、下面図である。
【図９】本実施形態における小物把持部４の構造の概略を示す図である。
【図１０】本実施形態における小物把持部４の構造の概略を示すもので、（ａ）は、小物把持用フック４３に小物を乗せないときの様子を示す断面図、（ｂ）は、小物把持用フック４３に小物を乗せたときの様子を示す断面図である。
【図１１】本実施形態における凹部４４を形成した幕前板６、及び収納ユニット４５の構造の概略を示すもので、（ａ）は、凹部４４を形成した幕前板６の構造の概略を示す斜視図、（ｂ）は、タオルバーを内蔵するユニット４５ａの構造の概略を示す斜視図、（ｃ）は、収納ケースを内蔵するユニット４５ｂの構造の概略を示す斜視図である。
【符号の説明】
１      洗面化粧台
２      キャビネット本体
３      上部キャビネット
４      小物把持部
５      収納棚
６      幕前板
７      スライド式箱型収納部
８      前板（スライド式箱型収納部７）
９      可動扉（スライド式箱型収納部７）
１０      固定扉（スライド式箱型収納部７）
１１      側板部（スライド式箱型収納部７）
１２      開閉丁番（側板部１１）
１３      端縁（可動扉９）
１４      係合部（可動扉９）
１５      引出し用把手（固定扉１０）
１６      係合部材（固定扉１０）
１６ａ    凸部（係合部材１６）
１７      引出し用把手支持軸（引出し用把手１５）
１８      引出し用把手支持軸（引出し用把手１５）
１９      穴部（固定扉１０）
２０      穴部（固定扉１０）
２１      溝部（固定扉１０）
２２      切り欠き部（係合部材１６）
２３      収納部ユニット（収納棚５）
２３ａ    上側面（収納部ユニット２３）
２３ｂ    下側面（収納部ユニット２３）
２４      連結板（収納棚５）
２４ａ    上側面（連結板２４）
２４ｂ    下側面（連結板２４）
２５      天板（収納棚５）
２５ａ    上側面（天板２５）
２５ｂ    下側面（天板２５）
２６      仕切板（収納部ユニット２３）
２７      凸部（上側面２３ａ）
２８      凸部（下側面２３ｂ）
２９      弾性体２９（下側面２３ｂ）
３０      回転制限ボール３０（下側面２３ｂ）
３１      凹部（連結板２４）
３２      貫通孔（連結板２４）
３３      凹部（天板２５）
３４      係止部（小物把持用金具３５）
３５      小物把持用金具（小物把持部４）
３６      小物把持用金具固定レール（小物把持部４）
３７      縦溝部（上部キャビネット３）
３８      蛇腹状凹凸部（小物把持用金具固定レール３６）
３９      突起部（小物把持用金具３５）
４０      突起部（小物把持用金具３５）
４１      突起部（小物把持用金具３５）
４２      凹部（小物把持用金具固定レール３６）
４３      小物把持用フック（小物把持用金具３５）
４４      凹部（幕前板６）
４５      収納ユニット（凹部４４）
４５ａ    収納ユニット（タオルバー内蔵）
４５ｂ    収納ユニット（収納ケース内蔵）
４６      ボール（洗面カウンタ４７）
４７      洗面カウンタ
４８      引出し用把手（可動扉９）
【図１】
2004229689.tif 000003
【図２】
2004229689.tif 000004
【図３】
2004229689.tif 000005
【図４】
2004229689.tif 000006
【図５】
2004229689.tif 000007
【図６】
2004229689.tif 000008
【図７】
2004229689.tif 000009
【図８】
2004229689.tif 000010
【図９】
2004229689.tif 000011
【図１０】
2004229689.tif 000012
【図１１】
2004229689.tif 000013